(57)【要約】      （修正有）【課題】外部から導入した光ファイバをセットし易く、セットした光ファイバを確実に保持できる光ファイバ導入部を備えた光受信機用トレイを提供する【解決手段】光受信機用ケースのトレイ５に光ファイバ導入部１１があり、光ファイバ導入部はトレイと一体に樹脂成形されており、光ファイバ導入部には光ファイバを押込み可能な通路１２があり、通路の入口はトレイの外面に貫通開口しており、通路の出口はトレイ内に開口しており、光ファイバ導入部には複数の保持片があり、それら保持片は通路の入口側から出口側に二列に対向配置されており、二列の保持片は真向かいに対向して又は斜向かいに対向して配置されており、夫々の保持片は先端部に凹部と二本以上の先端突起があり、先端突起は少なくとも凹部の幅方向両側から凹部よりも先方に突出している。【選択図】図２
2020038317.tif 000002
【特許請求の範囲】
【請求項１】
一面に開口部がある箱状のケース本体と、ケース本体に開閉可能に連結された蓋と、ケース本体内に設置できるトレイを備えた光受信機用ケースの前記トレイにおいて、
トレイに光ファイバ導入部があり、光ファイバ導入部はトレイと一体に樹脂成形されており、
光ファイバ導入部には光ファイバを押込み可能な通路があり、通路の入口はトレイの外面に貫通開口しており、通路の出口はトレイ内に開口しており、
光ファイバ導入部には複数の保持片があり、それら保持片は通路の入口側から出口側に二列に対向配置されており、
二列の保持片は真向かいに対向して又は斜向かいに対向して配置されており、
夫々の保持片は先端部に凹部と二本以上の先端突起があり、先端突起は少なくとも凹部の幅方向両側から凹部よりも先方に突出している、
ことを特徴とする光受信機用トレイ。
【請求項２】
請求項１記載の光受信機用トレイにおいて、
光ファイバ導入部に押さえ片が開閉可能に連結されている、
ことを特徴とする光受信機用トレイ。
【請求項３】
請求項２記載の光受信機用トレイにおいて、
押さえ片のうち、光ファイバ導入部に被さる内面が平面であるか突起を備えている、
ことを特徴とする光受信機用トレイ。
【発明の詳細な説明】
【技術分野】
【０００１】
本発明は、光ファイバ導入部を備えた光受信機用トレイに関する。
【背景技術】
【０００２】
ＣＡＴＶシステムの光受信機としてＦＴＴＨ端末機、ＯＮＵ等がある（例えば、特許文献１〜３）。光受信機は光ファイバから入力される光信号を電気信号に変換し、増幅して出力するものである。
【０００３】
光受信機は通常、ケース本体と、ケース本体の開口部を開閉する蓋と、ケース本体内に設置するトレイを備え、ケース本体には光通信に必要な機器が内蔵され、トレイには光ファイバが配線されている。トレイには外部から光ファイバを引き込んで保持するための光ファイバ導入部がある。光ファイバ導入部には各種構造のものがある（特許文献１〜３）。いずれの構造であっても、外部から導入する光ファイバを確実に保持できることが望まれる。
【先行技術文献】
【特許文献】
【０００４】
【特許文献１】特開２０１３−２２５００６号公報
【特許文献２】特開２０１５−１２２４５４号公報
【特許文献３】特開２０１７−２２３７２３号公報
【発明の概要】
【発明が解決しようとする課題】
【０００５】
本発明の解決課題は、外部から導入した光ファイバをセットし易く、セットした光ファイバを確実に保持できる光ファイバ導入部を備えた光受信機用トレイを提供することにある。
【課題を解決するための手段】
【０００６】
本発明の光受信機用トレイは、一面に開口部がある箱状のケース本体と、ケース本体に開閉可能に連結された蓋と、ケース本体内に設置できるトレイを備え、蓋を閉じるとトレイの上に被さって前記開口部を閉じることができる光受信機用ケースの前記トレイであって、トレイと一体に樹脂成形され光ファイバ導入部を備えたものである。光ファイバ導入部に光ファイバを配線可能な通路があり、通路の入口がトレイの外面に開口し、出口がトレイ内に開口している。通路は二列に対向配置された複数の保持片間にある。保持片は通路の入口側から出口側に対向配置されており、二列の保持片は真向かい又は斜向かいに対向している。夫々の保持片の先端部に凹部と先鋭な先端突起があり、先端突起は少なくとも凹部の幅方向両側から凹部の先まで突出している。光ファイバ導入部に押さえ片が開閉可能に連結されており、押さえ片は閉状態で光ファイバ導入部の上に被さるようにしてある。
【発明の効果】
【０００７】
本発明は次のような効果がある。
（１）光ファイバ導入部の複数の保持片の先端側に先端突起があるので、光ファイバ導入部の通路に導入された光ファイバが先端突起間に確実に保持されて通路内でスリップしたり位置ずれしたりしにくくなる。また、光ファイバの被覆が損傷もし難くなる。
（２）保持片が斜向かいに対向している場合は、保持片間の通路に光ファイバを押し込み易くなる。また、光ファイバの線径違いにも対応が可能になる。
（３）保持片が真向かい対向している場合は、通路に押し込まれた光ファイバの保持が、斜向かいに対向している場合よりも食い込み易く、さらに強固になる。
【図面の簡単な説明】
【０００８】
【図１】光受信機用ケースの斜視図。
【図２】本発明の光受信機用トレイの斜視図。
【図３】（ａ）は本発明の光受信機用トレイにおける光ファイバ導入部の保持片が斜向かいに対向している状態の平面図、（ｂ）は本発明の光受信機用トレイにおける光ファイバ導入部の保持片が真向かいに対向している状態の平面図。
【図４】（ａ）は本発明の光受信機用トレイにおける光ファイバ導入部の押さえ片が開状態の一例を示す説明図、（ｂ）は本発明の光受信機用トレイにおける光ファイバ導入部の押さえ片が閉状態の説明図、（ｃ）は本発明の光受信機用トレイにおける光ファイバ導入部の押さえ片が開状態の他例を示す説明図。
【発明を実施するための形態】
【０００９】
本発明の実施例を図面に基づいて説明する。光受信機の筐体２は、ケース本体３と、ケース本体３に矢印方向に開閉可能に取り付けられた蓋４と、ケース本体３内に設置するトレイ５を備えている。
【００１０】
ケース本体３（図１）の基本的構造は汎用の光受信機のケース本体と同様であり、一面が上方開口の箱状であり、内部に光通信機として必要な光部品、例えば、電源ユニット、光受信増幅ユニット、光中継用アダプタ、その他の機器（いずれも図示しない）を内蔵できるようにしてある。ケース本体３の周壁には電源コード挿通孔、接栓取付け孔といった、ケース本体として必要な構成を備えている。
【００１１】
蓋４の基本的構造は汎用の光受信機の蓋と同様であり、ケース本体３に図１の矢印方向Ｘ−Ｙに開閉可能に取り付けられている。
【００１２】
トレイ５（図２）の基本的構造も汎用の光受信機のトレイと同様に浅い皿状であり、ケース本体３の内径とほぼ同じ大きさの角形であり、内面にガイド突起６があり、ガイド突起６の近くに止め片７がある。ガイド突起６は配線する光ファイバＦの余長部を案内するものであり、止め片７はガイド突起６に沿って配線した光ファイバＦの余長部の跳ね上がりを阻止するものである。
【００１３】
図示したトレイ５はケース本体３と別体にして、ケース本体３の開口部１０から取り外しできるようにしてあるが、ケース本体３に分離できないように取り付けておくこともできる。この場合、ケース本体３の開口部１０を開閉できるように、ケース本体３に開閉可能に取り付けておくこともできる。
【００１４】
トレイ５の一つのコーナーの内側に光ファイバ導入部１１がある。光ファイバ導入部１１はトレイ５と一体に樹脂成形されている。光ファイバ導入部１１は二本並行しており、トレイ５の外部からトレイ５内に導入される二本の光ファイバ、例えば、放送系の光ファイバと通信系の光ファイバを別々に保持できるようにしてある。
【００１５】
光ファイバ導入部１１には光ファイバを押込み可能な通路１２があり、その通路１２は入口１３がトレイ５の外面に貫通開口しており、出口１４がトレイ５内に開口しており、上面が開口しており、その開口部から光ファイバＦを押込み可能である。
【００１６】
光ファイバ導入部１１は複数の保持片１５を前記入口１３側から出口１４側に二列にして対向配置してあり、二列の保持片１５は斜向かいに対向する（図３（ａ））か、真向かいに対向している（図３（ｂ））。夫々の保持片１５には凹部１６と先鋭な先端突起１７がある。先端突起１７は凹部１６の幅方向両側から凹部１６よりも先方まで突出している。図示した凹部１６は円弧状（Ｕ字状）であるが、凹部１６はＶ字状、Ｗ字状といった各種形状とすることができる。先端突起１７も二本ではなく三本以上とすることもできる。凹部１６を設けて先端突起１７を細くすることにより、先端突起１７に横方向の弾性が付与されて、通路１２への光ファイバＦの押し込み時に横に変形して（曲がって）押込み易くなり、押込み後は、押込み時に横方向に変形した先端突起１７の復元（戻り）により光ファイバＦが確実に保持され、通路１２内の光ファイバＦがスリップしたり、位置ずれしたりしにくくなるようにしてある。図示した複数の保持片１５は同じ形状であるが、保持片１５は異なる形状であってもよい。
【００１７】
光ファイバ導入部１１には押さえ片１８が連続しており、トレイ５の左側面のヒンジ１９の箇所から開閉可能であり、トレイ５の外側に突出する開状態（図４（ａ）から、トレイ５の内側まで折り返して光ファイバ導入部１１の上面に重なる閉状態（図４（ｂ））まで開閉可能である。押さえ片１８には係止部２０があり、押さえ片１８が光ファイバ導入部１１の上面に重なった状態（図４（ｂ））でケース本体２の受け部２３（図４（ｃ））に係止して、通路１２内の光ファイバＦが通路１２から上方へ突出するのを防止できるようにしてある。押さえ片１８の内面は平面であってもよいが、図４（ｃ）のように縦突起２１と横突起２２の双方又はいずれか一方を設けることもできる。縦突起２１を設けることにより光ファイバＦの押さえが確実になる。横突起２２により、押さえ片１８の横ずれを防止できる。縦突起２１、横突起２２は他の形状の突起であってもよい。
【００１８】
本書に添付の図では、ケース本体３、トレイ５に光受信機として必要な光部品、光部品間の配線等は示されていないが、光受信機とする場合はケース本体３やトレイ５に必要な光部品を装備することになる。
【符号の説明】
【００１９】
２      筐体
３      ケース本体
４      蓋
５      トレイ
６      ガイド突起
７      止め片
１０    （ケース本体の）開口部
１１    光ファイバ導入部
１２    通路
１３    （光ファイバ導入部の）入口
１４    （光ファイバ導入部の）出口
１５    保持片
１６    凹部
１７    先端突起
１８    押さえ片
１９    ヒンジ
２０    （押さえ片の）係止部
２１    縦突起
２２    横突起
２３    受け部
Ｆ      光ファイバ
【図１】
2020038317.tif 000003
【図２】
2020038317.tif 000004
【図３】
2020038317.tif 000005
【図４】
2020038317.tif 000006